(57)【要約】【課題】  電源や制御装置等を別個に設けなくても可動役物を駆動することができる役物装置を提供すること。【解決手段】  遊技機１０の遊技盤１２に設けられる役物装置であって、遊技盤に配置され且つ各々が圧電素子を含む少なくとも２つの可動役物１８、２３を有する。一方の可動役物１８の圧電素子に生ずる圧電電力を増幅して、当該増幅圧電電力を他の可動役物２３の圧電素子に駆動電力として供給する。前記圧電素子は例えば圧電バイモルフである。【選択図】  図１
2006247112.tif 000002
【特許請求の範囲】
【請求項１】
遊技機の遊技盤に設けられる役物装置であって、
前記遊技盤に配置され且つ各々が圧電素子を含む少なくとも２つの可動役物と、
前記少なくとも２つの可動役物の内の１つの可動役物に遊技球が衝突することにより当該可動役物の圧電素子に生ずる電力を増幅して、この増幅電力を他の可動役物の圧電素子に駆動電力として供給する駆動回路と、を含むことを特徴とする役物装置。
【請求項２】
遊技機の遊技盤に設けられる役物装置であって、
前記遊技盤に配置され且つ各々が圧電素子を含む複数の役物と、
遊技球が前記複数の役物の内の少なくとも１つ役物に衝突することにより当該役物の圧電素子に生ずる電力を、他の役物の圧電素子の駆動電力として前記他の役物の圧電素子に供給する配線と、を含むことを特徴とする役物装置。
【請求項３】
前記駆動電力が供給される役物は遊技球の通路に配置され、通常時は前記通路を塞いでいるが、前記駆動電力が供給されると変形して前記通路を開くことを特徴とする請求項１または２記載の役物装置。
【発明の詳細な説明】
【技術分野】
【０００１】
本発明は遊技機に設けられる役物装置に関し、特に、圧電素子を利用して駆動される役物装置に関する。
【背景技術】
【０００２】
弾球遊技機の一例としてパチンコ機が知られている。従来のパチンコ機は、一般に、盤面に固定役物と可動役物を有している。固定役物とは、例えば単に開口部が形成されている入賞口である。可動役物とは、例えば、開閉駆動される電動チューリップや電動アタッカである。また、従来のパチンコ機は前記可動役物を駆動するために、駆動装置（例えば、ソレノイド式のもの）と、前記駆動装置の電源と、前記駆動装置の制御装置等を有している。発射装置により打ち出されるパチンコ球が盤面を流下し、固定役物や可動役物に入ると所定の入賞動作が行われる（特許文献１）。
【特許文献１】特開２００３−１２６４９９号公報  また、従来のパチンコ機にあっては、圧電バイモルフ（圧電素子）を種々の目的で使用しているものがある。例えば、圧電バイモルフをパチンコ球の検出のためにセンサとして使用した例が特許文献２及び特許文献３に開示されている。圧電バイモルフは衝撃を与えると発電するという性質を持っているので、この性質を利用して、パチンコ球センサとして使用している。
【特許文献２】特開平１０−２７２２２５号公報
【特許文献３】特開平１１−１８８１３９号公報  圧電バイモルフを利用した他の例としては、圧電バイモルフを自己発光装置として使用したものが特許文献４及び特許文献５に開示されている。パチンコ球が圧電バイモルフに衝突することにより、自己発電及び自己発光が行われる。
【特許文献４】特開２００４−３６０７１１号公報
【特許文献５】特開２００５−２４８５号公報  圧電バイモルフのその他の利用法としては、パチンコ球発射装置として使用している例が特許文献６に開示されている。圧電バイモルフは、電圧を印加すると変形したり振動するので、この性質を利用して、パチンコ球発射装置として使用している。
【特許文献６】特開２００２−２５３７６７号公報
【発明の開示】
【発明が解決しようとする課題】
【０００３】
従来、圧電バイモルフを可動役物の駆動に利用した例はなかった。
【０００４】
本発明の１つの目的は、電源や制御装置等を別個に設けなくても可動役物を駆動することができる遊技機の役物装置を提供することである。
【課題を解決するための手段】
【０００５】
本発明によれば、遊技機の遊技盤に設けられる役物装置であって、
前記遊技盤に配置され且つ各々が圧電素子を含む少なくとも２つの可動役物と、
前記少なくとも２つの可動役物の内の１つの可動役物に遊技球が衝突することにより当該可動役物の圧電素子に生ずる電力を増幅して、この増幅電力を他の可動役物の圧電素子に駆動電力として供給する駆動回路と、を含むことを特徴とする役物装置が提供される。
【０００６】
好ましくは、前記駆動電力が供給される役物は遊技球の通路に配置され、通常時は前記通路を塞いでいるが、前記駆動電力が供給されると変形して前記通路を開く。
【０００７】
また、本発明によれば、前記遊技盤に配置され且つ各々が圧電素子を含む複数の役物と、
遊技球が前記複数の役物の内の少なくとも１つ役物に衝突することにより当該役物の圧電素子に生ずる電力を、他の役物の圧電素子の駆動電力として前記他の役物の圧電素子に供給する配線と、を含むことを特徴とする遊技機の役物装置が提供される。
【０００８】
好ましくは、前記他の役物は遊技球の通路に配置され、通常時は前記通路を塞いでいるが、前記駆動電力が供給されると変形して前記通路を開く。好ましくは、前記圧電素子は圧電バイモルフである。
【発明の効果】
【０００９】
本発明の役物装置では、一方の可動役物の圧電素子に生ずる圧電電力を、他方の可動役物の圧電素子に駆動電力として供給している。よって、前記他方の可動役物を駆動するための電源が不要となる。圧電素子が圧電バイモルフである場合、前記他方の可動役物の動きは、前記一方の可動役物からの駆動電力のみにより決定するように構成することができる。よって、前記他の可動役物のために制御装置を設ける必要がない。
【発明を実施するための形態】
【００１０】
本発明の役物装置の実施例を添付図面に基づいて説明する。本実施例では役物装置を備えた遊技機の一例としてパチンコ機を説明する。
【００１１】
図１はパチンコ機１０の斜視図である。図１に示されるように、パチンコ機１０の遊技盤１２の中央やや上には、液晶表示ユニット１３が設けられている。液晶表示ユニット１３は、液晶表示により数字や図柄等を表示する液晶表示装置１４を含んでいる。液晶表示ユニット１３の左右には第１入賞口１６が設けられている。第１入賞口１６は固定役物である。第１入賞口１６にパチンコ球７が入ると、所定数の賞球が受皿３２に配給される。左側の第１入賞口１６の上には星形の第１可動役物１８が設けられている。第１可動役物１８は障害物である。液晶表示ユニット１３の下には第２入賞口２０、第２可動役物２２、アッタカ口２４、アウト口２６が設けられている。第２可動役物２２は電動チューリップである。第２入賞口２０は始動入賞口である。第２入賞口２０にパチンコ球７が入ると、第２可動役物（電動チューリップ）２２が開く。第２可動役物２２にパチンコ球７が入ると、所定数の賞球が受皿３２に配給されると共に、制御装置（図示せず）の判定プログラムが起動される。判定プログラムの乱数抽選により「当選」か「外れ」が決定される。アタッカ口２４は通常閉じられている。前記乱数抽選により「当選」すると、アタッカ口２４が所定時間開く。パチンコ球７がアタッカ口２４に入ると、所定数の賞球が受皿３２に配給される。パチンコ球７はアウト口に入ると没収される。
【００１２】
アタッカ口２４の左右には第３可動役物２８が設けられている。第３可動役物２８も電動チューリップである。パチンコ球７が第３可動役物２８に入ると、所定数の賞球が受皿３２に配給される。第２可動役物２２の右には星形の第４可動役物３０が設けられている。第４可動役物３０は障害物である。第１可動役物１８と第４可動役物３０以外の障害物として、遊技盤１２には障害釘や風車等が設けられているが、図示していない。遊技盤１２の下には受皿３２やパチンコ球発射装置も設けられている。パチンコ球発射装置はハンドル３４を含む。遊技盤１２の前面には透明なガラス枠が設けられている。また、パチンコ機１０には照明電飾装置３６、３７や電源回路（図示せず）も設けられている。
【００１３】
液晶表示装置１４は例えば３つのリールの画像を表示し、各リールには数字や図柄が表示される。数字や図柄は所定の条件に従い、変動、停止または消滅する。例えば第１入賞口１６にパチンコ球が入り、上記判定プログラムが起動されて乱数抽選が行われると、この乱数抽選の結果に基づいて図柄が変動して停止する（遊技者には、３つのリールが回転して止まるように見える）。
【００１４】
次に図２（ａ）を参照して液晶表示ユニット１３について説明する。図２（ａ）は液晶表示ユニット１３の正面図である。
【００１５】
液晶表示ユニット１３は、略矩形のハウジング１５、ハウジングのほぼ中央に設置された液晶表示装置１４、ハウジング左側部に沿って設けられた第１通路１７、液晶表示装置の下に形成され、第１通路１７の出口１７ｂから排出されるパチンコ球が流れていく浅い凹部１９、及びこの凹部の中央からハウジングの中央下部へ延びる第２通路２１からなる。ハウジング１５の左側面上部には開口部１７ａが形成されており、この開口部１７ａが第１通路１７の入口となる。パチンコ球７は開口部１７ａから第１通路１７に入ることができる。第１通路１７はほぼ垂直な通路であり、これに入ったパチンコ球７はハウジング左側部を垂直に流下し、第１通路１７の出口１７ｂに至る。第１通路１７の出口１７ｂから出たパチンコ球７は浅いすり鉢状の凹部１９に入る。凹部１９は液晶表示装置１４の下辺に沿って延び、中央が一番低くなっている。一番低くなっている部分に開口部２１ａが形成されている。開口部２１ａには開閉可能な蓋部材２３が設けられている。開口部２１ａは第２通路２１の入口である。開口部２１ａは通常、蓋部材２３により閉じられているが、所定の条件が満たされると開く。よって、凹部１９に入ったパチンコ球７は、凹部の中央部、即ち、蓋部材２３付近に至り、蓋部材２３が開いていれば第２通路２１への入口２１ａに入り、蓋部材２３が閉じていれば、凹部１９から下に落ちて遊技盤に入る。
【００１６】
液晶表示ユニット１３の第２通路２１は垂直に下方に延び、ハウジングの中央下部に出口２１ｂを有している。第２通路２１に入ったパチンコ球は出口２１ｂから遊技盤に排出される。ここで図１を参照すると、第２通路２１の出口２１ｂは第２入賞口２０の上に位置されている。よって、第２通路２１の出口２１ｂを出たパチンコ球７は第２入賞口２０に導かれるようになっている。つまり、液晶表示ユニット１３に入ったパチンコ球は、蓋部材２３が開いていれば、第２入賞口２０に入るように構成されている。
【００１７】
図２（ｂ）は第２通路２１の側断面図である。第２通路２１はＬ字状を呈している。蓋部材２３が閉位置にあるとき（図２（ｂ）の実線で示した位置）、第２通路２１の入口２１ａは蓋部材２３により閉じられている。尚、本実施例では、入口２１ａは蓋部材２３により完全に閉じられてはいないが、パチンコ球７が第２通路２１に入ることができない程度に閉じられている。蓋部材２３が上方に反り返り、開位置に移動すると（図中、破線で示した位置）、パチンコ球７は第２通路２１に入ることができる。入口２１ａが蓋部材２３により完全に閉じられていないのは、蓋部材２３の反り返り量が小さいと想定しているからである。蓋部材２３の反り返り量が大きければ、図２（ｃ）のように蓋部材２３で入口２１ａを完全に閉じてもよい。蓋部材２３は開閉動作するので、可動役物である。
【００１８】
蓋部材２３は本実施例では、圧電バイモルフである。この圧電バイモルフは２つの圧電セラミックス板を金属板等を介して貼り合せたものである。つまり、厚み方向に分極された２枚の圧電素子（セラミック板）から構成されている。圧電バイモルフの２つのセラミックス板に異なる変位を与えると起電力が得られる。また、圧電バイモルフに電圧を印加すると、例えば上部のセラミック板は圧電効果により縮み、下部のセラミック板は伸びるので、全体として（つまり圧電バイモルフとして）は上方向に曲る（反り返る）。本実施例では、蓋部材（圧電バイモルフ）２３に電圧を印加することにより、蓋部材２３が上方向に曲る（反り返る）ようになっている。
【００１９】
図３（ａ）は星形の第１可動役物１８の側断面図である。第１可動役物１８は、遊技盤１２から遊技者側へ突出する支持板部１８ａと、支持板部に支持された星形の本体１８ｂからなる。本実施例では、第１可動役物１８の支持板部１８ａが圧電バイモルフからなっている。支持板部１８ａは、上記した蓋部材２３と同じように、２つの圧電セラミックス板を金属板等を介して貼り合せて構成されている。支持板部１８ａは、図３（ａ）の紙面垂直方向に所定の大きさを有しており、上方から見た場合、矩形を呈している。遊技盤１２を流下するパチンコ球が第１可動役物１８に衝突する場合、支持板部１８ａには衝突せず、本体１８ｂに衝突する。
【００２０】
第４可動役物３０（図３（ｂ）参照）は図３（ａ）の第１可動役物１８と同じ構造を有している。即ち、第４可動役物３０も、遊技盤１２から突出する支持板部３０ａと、支持板部に支持された星形の本体３０ｂからなり、支持板部３０ａが圧電バイモルフで作られている。
【００２１】
図３（ｂ）は、遊技盤１２における第１可動役物１８と、第４可動役物３０と、液晶表示ユニット１３の蓋部材２３との間の配線４０を概略的に示した図である。遊技盤１２は省略されている。配線４０はパチンコ機内部に埋設されており、遊技盤１２上には現れていない。図示されているように、第１可動役物１８の支持板部１８ａと第４可動役物３０の支持板部３０ａと蓋部材２３は配線４０により電気的に接続されている。つまり、３つの圧電バイモルフが電気的に接続されている。
【００２２】
次に本実施例の役物装置の動作を説明する。本実施例の役物装置は図３（ｂ）に示した構成を有している。
【００２３】
パチンコ球が第１可動役物１８の本体１８ｂに衝突すると、本体１８ｂを支持している支持板部１８ａが弾性変形する。支持板部１８ａは圧電バイモルフであるので、この弾性変形により、電力を発生する。この電力が第４可動役物３０と蓋部材２３に供給される。すると、第４可動役物３０の支持板部３０ａが動くと共に、蓋部材２３が上方に反り返る。つまり、遊技者から見ると、パチンコ球が第１可動役物１８に衝突すると、第４可動役物３０が上下に動き、且つ、液晶表示ユニット１３の中央下部の蓋部材２３が開く。パチンコ球が連続的に第１可動役物１８に衝突すると、連続的に電力が第４可動役物３０と蓋部材２３に供給される。この場合、第４可動役物３０はある程度の時間、動き続け、蓋部材２３はある程度の時間、開き続ける。
【００２４】
パチンコ球が第４可動役物３０の本体３０ｂに衝突しても同じことが起きる。即ち、パチンコ球が第４可動役物３０の本体３０ｂに衝突すると、支持板部３０ａが電力を発生し、この電力が第１可動役物１８と蓋部材２３に供給される。その結果、第１可動役物１８が上下に動くと共に、蓋部材２３が上方に反り返る。
【００２５】
パチンコ球が第１可動役物１８と第４可動役物３０に衝突すると、これら可動役物が電力を発生し、この電力が蓋部材２３に供給される。
【００２６】
以上の説明から明かなように、本実施例では、１つのバイモフル製の可動役物（例えば蓋部材２３）を駆動するための電力を、別のバイモルフ製の可動役物（例えば第１可動役物１８）から供給している。よって、蓋部材２３を駆動するための電源が不要である。また、本実施例では、蓋部材２３の駆動を制御する制御装置も設けられていない。
【００２７】
尚、第１可動役物１８（または第４可動役物３０）から蓋部材２３への電力が小さい場合、図３（ｃ）に示すように配線４０上に増幅器４２を設けてもよい。この増幅器４２による電力増幅は、蓋部材２３の開度とパチンコ球７の大きさにより決定される。つまり、パチンコ球７が第２通路２１に入ることができる程度に蓋部材２３が開くように、上記増幅器４２を選定する。尚、蓋部材２３が開くときの速度や閉じるときの速度を考慮して増幅器４２を選定してもよい。
【００２８】
本発明は上記した実施例に限定されない。例えば、蓋部材２３は圧電バイモルフであるとしたが、電力供給を受けた際に変形するものであれば他の圧電素子でもよい。また、第１可動役物１８と第２可動役物３０の双方を蓋部材２３に電気的に接続したが、一方だけを蓋部材２３に接続してもよい。あるいは、図４に示したように、第１可動役物１８と同じような役物を複数設け、これらを蓋部材２３に並列接続してもよい。
【図面の簡単な説明】
【００２９】
【図１】本発明の役物装置を備えるパチンコ機の斜視図である。
【図２】（ａ）は図１のパチンコ機に設けられた液晶表示ユニットの正面図であり、（ｂ）は液晶表示ユニットの出口側通路の側断面図であり、（ｃ）は（ｂ）に示した出口側通路の変形例を示す側断面図である。
【図３】（ａ）は図１のパチンコ機に設けられた可動役物の断面図であり、（ｂ）は液晶表示ユニット出口側通路の蓋部材と、これに電気的に接続された２つの可動役物の配線図であり、（ｃ）は増幅器を設けた場合の変形例を示す配線図である。
【図４】本発明の他の実施例を示す概略構成図である。
【符号の説明】
【００３０】
７  パチンコ球
１０  パチンコ機
１２  遊技盤
１３  液晶表示ユニット
１８  第１可動役物
１８ａ  支持板部
３０  第４可動役物
３０ａ  支持板部
２３  蓋部材
４０  配線
４２  増幅器
【図１】
2006247112.tif 000003
【図２】
2006247112.tif 000004
【図３】
2006247112.tif 000005
【図４】
2006247112.tif 000006